(57)【特許請求の範囲】
【請求項１】
耕耘爪が固設された耕耘軸の上方及び後方を、ロータリカバー及びその後方のリヤカバーにて覆ったロータリのリヤカバー装置において、
前記ロータリカバーと前記リヤカバーとの前後中間に、中間カバーを設け、
前記ロータリカバーに対し、前記中間カバーと前記リヤカバーとを連結する回動支点を選択的に上下に移動可能にすると共に、
前記ロータリカバーと、前記リヤカバーとの回動支点を上下方向に選択した状態の前記中間カバーとを、装置本体に設けた操作レバーのレバー操作により一体的に前記耕耘軸の回りに前後に回動可能とした、
ことを特徴とするロータリのリヤカバー装置。
【請求項２】
前記ロータリカバーの側面板に、前記中間カバーの位置決め装置を設け、該ロータリカバーに対する前記中間カバーの上下位置を固定してなる、
請求項１記載のロータリのリヤカバー装置。
【発明の詳細な説明】
【０００１】
【発明の属する技術分野】
本発明は、農業用作業車の後方に装着するロータリ耕耘装置に係り、詳しくはロータリカバーの後部に装着されたロータリのリヤカバー装置に関する。
【０００２】
【従来の技術】
従来、ロータリカバーの後部にロータリのリヤカバーを装着する際、中間カバーを介することなく、ロータリカバーの後端に直接リヤカバーの回動支点を設けたものは、既に知られている。
【０００３】
【発明が解決しようとする課題】
既に知られている、ロータリカバーの後端に直接リヤカバーの回動支点を設けたものでは、リヤカバーの回動支点を前後方向、上下方向それぞれ単独に回動するため、リヤカバーの位置が、一般耕耘作業及び代掻作業には適応出来ても、畦立器やマルチ整形器装着作業時のように、リヤカバーの位置を極度に上方位置に保持することは出来なかった。
【０００４】
そこで、本発明は、リヤカバーの位置を、一般耕耘作業及び代掻作業のみならず、畦立器やマルチ整形器装着作業時にも最適位置を保持出来ることを目的とする。
【０００５】
【課題を解決するための手段】
本発明は、上述事情に鑑みなされたものであって、請求項１に係る発明は、耕耘爪が固設された耕耘軸（１２）の上方及び後方を、ロータリカバー（１４）及びその後方のリヤカバー（１７）にて覆ったロータリのリヤカバー装置において、
前記ロータリカバー（１４）と前記リヤカバー（１７）との前後中間に、中間カバー（１６）を設け、
前記ロータリカバー（１４）に対し、前記中間カバー（１６）と前記リヤカバー（１７）とを連結する回動支点を選択的に上下に移動可能にすると共に、
前記ロータリカバー（１４）と、前記リヤカバー（１７）との回動支点（Ａ）を上下方向に選択した状態の前記中間カバー（１６）とを、装置本体に設けた操作レバー（１８）のレバー操作により一体的に前記耕耘軸（１２）の回りに前後に回動可能とした、ことを特徴とする。
また、請求項２に係る発明は、請求項１に記載したロータリのリヤカバー装置において、前記ロータリカバー（１４）の側面板（１４ｄ）に、前記中間カバー（１６）の位置決め装置（２３）を設け、該ロータリカバー（１４）に対する前記中間カバー（１６）の上下位置を固定してなるように構成して、上述の課題を解決した。
【０００６】
（作用）
上記構造により、一般耕耘作業及び代掻作業時には、中間カバー（１６）とリヤカバー（１７）の回動支点を選択的に下方位置に選択固定し、中間カバー（１６）とリヤカバー（１７）とを、レバー（１８）操作により一体的に耕耘軸（１２）の回りに前後に回動して、中間カバー（１６）とリヤカバー（１７）の回動支点を最適位置に保持し、ロータリ畦立器やマルチ整形器装着作業時には、中間カバー（１６）とリヤカバー（１７）の回動支点を選択的に上方位置に選択固定することにより、あらゆる作業に最適のリヤカバー（１７）位置を確保出来るようになった。
【０００７】
また、ロータリカバー（１４）の側面板（１４ｄ）に、中間カバー（１６）の位置決め装置（２３）を設け、ロータリカバー（１４）に対する中間カバー（１６）の上下位置を固定してなるように構成したので、構造・選択操作とも簡単確実なものとなった。
【０００８】
なお、上述カッコ内の符号は、図面と対照するものであるが、何ら本発明の構成を限定するものではない。
【０００９】
【発明の実施の形態】
以下、図面に沿って、本発明の実施の形態例について説明する。
【００１０】
図１〜図３において、トラクタ１の後方に３点リンク、オートヒッチ２を介して昇降自在にロータリ３が装着されている。
【００１１】
ロータリ３の中央部にギヤケース５を設け、ギヤケース５の上部にはブーメラン形状のトップマスト４が固設され、トップマスト４の前方上部は、連結部を介して前記オートヒッチ２に連結し、トップマスト４の後方上部には、尾輪や畦立器を装着するための、ツールバー６を調節するネジ式の調節装置７を軸支している。
【００１２】
前記ギヤケース５の両側面に、図４に示すように、左右一対のアーム８，９を固設し、その左端にはチェンケース１０を固設し、右端にはコの字形のサイドプレート１１を固定している。
【００１３】
複数本の耕耘爪を固設した耕耘軸１２は、前記チェンケース１０下部の駆動側軸受部と、サイドプレート１１下部に固設した受動側軸受ブラケット１３に支持され、チェンケース１０内の伝動装置によって駆動されている。
【００１４】
ロータリカバー１４は、図１〜図３及び図４に示すように、耕耘軸１２の上方を覆う円弧状の天板１４ａ、該天板１４ａの前後端部の補強プレート（図示せず）、および左右両側面にほぼ扇形をした側板１４ｄ，１４ｄからなり、該側板１４ｄ，１４ｄは耕耘軸１２の軸方向側端部を覆っている。
【００１５】
側板１４ｄ下部の扇の要に相当する部分に、前記耕耘軸１２両端の軸受部に外嵌するメタル１５が、前後回動自在に設けられている。
【００１６】
ロータリカバー１４の後端部、すなわち上述した天板１４ａと後述するリヤカバー１７との前後中間位置には、袋状の断面の中間カバー１６が回動自在に枢着され、該中間カバー１６の後端部にはリヤカバー１７が回動支点Ａにより回動自在に枢着されている。これにより、ロータリカバー１４と中間カバー１６、及び該中間カバー１６とリヤカバー１７のそれぞれは回動自在に軸支されていることになる。
【００１７】
トップマスト４に設けた操作レバー１８を前後に回動することによって、ブラケット１９及びロッド２０を介してロータリカバー１４と中間カバー１６、及びリヤカバー１７は一体的に耕耘軸１２の回りに前後に回動可能となっている。
【００１８】
中間カバー１６は、図５及び図６に示すように、その前部を前記左右両側板１４ｄに固設された軸金２１によって軸支され、その後部両端には、左右の側板１４ｄに突出形成（突出座）された上孔２７及び下孔２８に係合しうる出没自在なロックピン２３が設けられている。また、中間カバー１６側には、ロックピン２３の抜差し操作と該ロックピン２３を上孔２７又は下孔２８から抜いた状態で中間カバー１６の上下位置を移動しうるハンドル２２が設けられている。そして、ハンドル２２を操作してロックピン２３を側板１４ｄ上部に設けた上孔２７又は下孔２８に選択固定して、中間カバー１６の上下位置を移動する。
【００１９】
次に本実施の形態例の作用について説明する。
【００２０】
上記構造に基づき、操作レバー１８を前に回動させることにより、ロータリカバー１４が、一体的に耕耘軸１２の回りに前に回動し、一般耕耘作業姿勢になり、リヤカバー１７下の懐部が狭くなり土の持ち回りが多くなるので、耕耘後の仕上りが均平になる。
【００２１】
ロータリカバー１４を前に回動したまま、ハンドル２２を操作して、ロックピン２３を側板１４ｄの上孔２７にセットし、中間カバー１６を上方に回動させた位置に選択固定すると、リヤカバー１７下の懐部が広くなり、土が後方にはけやすくなり、畦立器やマルチ整形器装着作業あるいは畑での深い耕耘作業に適した姿勢が得られる。
【００２２】
また、操作レバー１８を後に回動させることにより、ロータリカバー１４が、一体的に耕耘軸１２の回りに後に回動し、ハンドル２２を操作して、ロックピン２３を側板１４ｄの下孔２８にセットし、中間カバー１６を下方に回動させると、リヤカバー１７が下方まで覆い、代掻や極浅い耕耘作業に適した姿勢が得られる。
【００２３】
上記いずれの場合も、中間カバー１６の両側に設けられた連結ロックピン２３をハンドル２２を操作して、側板１４ｄの上孔２７又は下孔２８に選択係合することにより、中間カバー１６を上方位置又は下方位置に選択固定出来るので、確実・簡単に操作できる。
【００２４】
【発明の効果】
本発明は、耕耘軸を覆うロータリカバーとリヤカバーとの前後中間に、中間カバーを設け、前記ロータリカバーに対し、前記中間カバーと前記リヤカバーとを連結する回動支点を選択的に上下に移動可能にすると共に、前記ロータリカバーと、回動支点を上下方向に選択した前記中間カバーとを、装置本体に設けた操作レバーのレバー操作により一体的に耕耘軸の回りに前後に回動可能としたので、一般耕耘作業及び代掻作業のみならず、畦立器やマルチ整形器装着作業時にも最適位置を保持できるようになった。また、前記ロータリカバーの側面板に、中間カバーの位置決め装置を設け、ロータリカバーに対する中間カバーの上下位置を固定してなるように構成したので、確実・簡単な操作でリヤカバーの位置を選択することができる。
【図面の簡単な説明】
【図１】一般耕耘作業時のトラクタとロータリの側面図である。
【図２】畦立器作業時のトラクタとロータリの側面図である。
【図３】代掻作業時のトラクタとロータリの側面図である。
【図４】ロータリの後面視である。
【図５】中間カバーの回動支点の一部拡大図である。
【図６】中間カバーの回動支点の斜視図である。
【符号の説明】
１        トラクタ
３        ロータリ
１２      耕耘軸
１４      ロータリカバー
１６      中間カバー
１７      リヤカバー
２２      ハンドル
２３      ロックピン
２７      上孔
２８      下孔
【図１】
0003589837.tif 000002
【図２】
0003589837.tif 000003
【図３】
0003589837.tif 000004
【図４】
0003589837.tif 000005
【図５】
0003589837.tif 000006
【図６】
0003589837.tif 000007